(57)【特許請求の範囲】
【請求項１】
分岐線を少なくとも収容する分岐用電線収容室を有するプロテクタ本体と、
前記分岐用電線収容室に挿入される分岐用アダプタとを備え、
前記分岐用アダプタは、前記プロテクタ本体にスライド手段によって挿入され、且つ、挿入完了位置まで挿入されるとロック手段によってロックされ、挿入完了位置では電線押さえ壁が前記分岐線を前記分岐用電線収容室の底面に押圧することを特徴とするワイヤーハーネス用プロテクタ。
【請求項２】
請求項１記載のワイヤーハーネス用プロテクタであって、
前記スライド手段は、前記分岐用アダプタに設けられた左右一対のスライドレール部と、前記分岐用電線収容室の両側の側壁に設けられ、前記一対のスライドレール部がスライド挿入される一対のスライド溝とを備えたことを特徴とするワイヤーハーネス用プロテクタ。
【請求項３】
請求項１又は請求項２記載のワイヤーハーネス用プロテクタであって、
前記分岐用アダプタには、前記側壁の両面をそれぞれ挟持する挟持部が設けられていることを特徴とするワイヤーハーネス用プロテクタ。
【請求項４】
請求項１〜請求項３のいずれかに記載のワイヤーハーネス用プロテクタであって、
前記分岐用電線収容室は、前記分岐線と分岐しない電線の双方を収容するよう構成され、
前記分岐用電線収容室には、電線が上位置に、分岐線が下方位置に縦配列で収容され、前記電線が前記分岐用アダプタの電線押さえ壁の上方に配置され、
前記分岐用アダプタには、前記電線が載る電線載置壁が設けられていることを特徴とするワイヤーハーネス用プロテクタ。
【発明の詳細な説明】
【技術分野】
【０００１】
本発明は、電線を内部に収容して保護するワイヤーハーネス用プロテクタに関する。
【背景技術】
【０００２】
ワイヤーハーネス用プロテクタには、収容する複数の電線（プロテクタ内で電線を分岐する場合も含む）の一部を分岐線として他の電線とは別方向より引き出すようにしたものがある（特許文献１、２参照）。この種のワイヤーハーネス用プロテクタの一従来例が図７に示されている。
【０００３】
図７において、ワイヤーハーネス用プロテクタは、プロテクタ本体５１とカバー（図示せず）とを備えている。プロテクタ本体５１は、外周側壁５２と複数の仕切壁５３によって仕切られた複数の電線収容室５４を有する。この各電線収容室５４は、ワイヤーハーネスの配策経路に沿って延びている。最外周側の二つの電線収容室５４は、途中で合流され、その下流側が分岐用電線収容室５５として構成されている。
【０００４】
分岐用電線収容室５５は、電線引出口側に行くに従って他の電線収容室５４より徐々に深く、且つ、電線引出口側が短く形成されている。分岐用電線収容室５５には、分岐しない電線（図示せず）が上位置に、分岐する電線（以下、分岐線Ｗ２という。）が下方位置に縦配列で収容されている。上位置の電線は、電線収容室５４に配置された他の電線と共に同じ位置（同じ方向）より外部に引き出される。又、分岐線Ｗ２は、これら電線とは別に、下方向より外部に引き出される。
【０００５】
ここで、ワイヤーハーネス用プロテクタより引き出される電線が引っ張り力を受けて位置ずれを引き起こすと、ワイヤーハーネスに寸法ずれが発生する。そのため、ワイヤーハーネス用プロテクタから引き出される電線Ｗ１は、何らかの位置決め手段によって位置決めされた状態で引き出される。
【０００６】
これに対し、分岐線Ｗ２は、他の電線とは別位置（別方向）から引き出され、従来では、分岐線Ｗ２をワイヤーハーネス用プロテクタにテープ固定したり、バンドクリップ固定したりして固定されていた（図７には仮想線にてテープ固定された状態を示す）。
【先行技術文献】
【特許文献】
【０００７】
【特許文献１】特開２００３−１２５５１１号公報
【特許文献２】特開２００９−６５７９８号公報
【発明の概要】
【発明が解決しようとする課題】
【０００８】
しかしながら、分岐線Ｗ２のテープ固定やバンドクリップ固定は、その固定作業が面倒であるという問題がある。
【０００９】
又、分岐線Ｗ２をテープで固定すると、テープ剥がれの恐れがあり、確実に分岐線Ｗ２を固定できない。分岐線Ｗ２をバンドクリップで固定する場合には、そ締結力が強すぎると、電線被覆に傷を付ける恐れがあり、その締結力が弱すぎると、分岐線の位置ずれが発生する恐れがある。従って、バンドクリップ固定でも、分岐線Ｗ２を確実に固定できない。
【００１０】
そこで、本発明は、前記した課題を解決すべくなされたものであり、分岐線の固定作業が容易で、しかも、分岐線を確実に固定できるワイヤーハーネス用プロテクタを提供することを目的とする。
【課題を解決するための手段】
【００１１】
請求項１の発明は、分岐線を少なくとも収容する分岐用電線収容室を有するプロテクタ本体と、前記分岐用電線収容室に挿入される分岐用アダプタとを備え、前記分岐用アダプタは、前記プロテクタ本体にスライド手段によって挿入され、且つ、挿入完了位置まで挿入されるとロック手段によってロックされ、挿入完了位置では電線押さえ壁が前記分岐線を前記分岐用電線収容室の底面に押圧することを特徴とする。
【００１２】
請求項２の発明は、請求項１記載のワイヤーハーネス用プロテクタであって、前記スライド手段は、前記分岐用アダプタに設けられた左右一対のスライドレール部と、前記分岐用電線収容室の両側の側壁に設けられ、前記一対のスライドレール部がスライド挿入される一対のスライド溝とを備えたことを特徴とする。
【００１３】
請求項３の発明は、請求項１又は請求項２記載のワイヤーハーネス用プロテクタであって、前記分岐用アダプタには、前記側壁の両面をそれぞれ挟持する挟持部が設けられていることを特徴とする。
【００１４】
請求項４の発明は、請求項１〜請求項３のいずれかに記載のワイヤーハーネス用プロテクタであって、前記分岐用電線収容室は、前記分岐線と分岐しない電線の双方を収容するよう構成され、前記分岐用電線収容室には、電線が上位置に、分岐線が下方位置に縦配列で収容され、前記電線が前記分岐用アダプタの電線押さえ壁の上方に配置され、前記分岐用アダプタには、前記電線が載る電線載置壁が設けられていることを特徴とする。
【発明の効果】
【００１５】
請求項１の発明によれば、分岐用アダプタをプロテクタ本体にスライド挿入すれば、分岐用アダプタがロックされ、分岐線が固定されるため、分岐用アダプタをスライド挿入するという一操作で分岐線を固定できる。又、分岐用アダプタは挿入完了位置でロックされることから常に一定の押圧力で分岐線を押圧する。以上より、分岐線の固定作業が容易で、しかも、分岐線を確実に固定できる。
【００１６】
請求項２の発明によれば、請求項１の効果に加え、分岐用アダプタが左右一対のスライドレール部によってスライド挿入されるため、スライド挿入を確実に、且つ、スムーズに行うことができる。
【００１７】
請求項３の発明によれば、請求項２の効果に加え、分岐用アダプタは両側の側壁を挟持するため、分岐用アダプタがプロテクタ本体に強固に嵌合されると共に分岐用アダプタの横ずれを防止できる。
【００１８】
請求項４の発明によれば、請求項１〜請求項３の効果に加え、分岐用電線収容室に分岐線と電線が共に収容されるため、プロテクタ本体をコンパクト化できる。又、電線が分岐用電線収容室内で電線載置壁によってガイドされるため、分岐用電線収容室内で電線を所定の高さでガイドできる。
【図面の簡単な説明】
【００１９】
【図１】本発明の一実施形態を示し、プロテクタ本体に分岐用アダプタを装着する前の状態を示す斜視図である。
【図２】本発明の一実施形態を示し、プロテクタ本体に分岐用アダプタを装着した状態を示す斜視図である。
【図３】本発明の一実施形態を示し、分岐用アダプタが装着されたプロテクタ本体の要部斜視図である。
【図４】本発明の一実施形態を示し、分岐用アダプタがプロテクタ本体にロックされた状態を示す断面図である。
【図５】本発明の一実施形態を示し、分岐用アダプタが装着されたプロテクタ本体の要部平面図である。
【図６】本発明の一実施形態を示し、分岐用アダプタが分岐線を分岐用電線収容室の底面に押圧した状態を示す断面図である。
【図７】従来例のワイヤーハーネス用プロテクタの斜視図である。
【発明を実施するための形態】
【００２０】
以下、本発明の一実施形態を図面に基づいて説明する。
【００２１】
図１〜図６は本発明の一実施形態を示し、図１はプロテクタ本体２に分岐用アダプタ１０を装着する前の状態を示す斜視図、図２はプロテクタ本体２に分岐用アダプタ１０を装着した状態を示す斜視図、図３は分岐用アダプタ１０が装着されたプロテクタ本体２の要部斜視図、図４は分岐用アダプタ１０がプロテクタ本体２にロックされた状態を示す断面図、図５は分岐用アダプタ１０が装着されたプロテクタ本体２の要部平面図、図６は分岐用アダプタ１０が分岐線Ｗ２を分岐用電線収容室６の底面６ａに押圧した状態を示す断面図である。
【００２２】
図１及び図２において、ワイヤーハーネス用プロテクタ１は、プロテクタ本体２と、プロテクタ本体２にスライド挿入によって装着される分岐用アダプタ１０と、プロテクタ本体２の上面を覆うように組み付けされるカバー（図示せず）とを備えている。
【００２３】
プロテクタ本体２は、外周側壁３と複数の仕切壁４によって仕切られた複数の電線収容室５を有する。この各電線収容室５は、ワイヤーハーネスの配策経路に沿って延びている。最外周側の二つの電線収容室５は、途中で合流され、その下流側が分岐用電線収容室６として構成されている。
【００２４】
分岐用電線収容室６は、電線引出口側に行くに従って他の電線収容室５より徐々に深く、且つ、電線引出口側が短く形成されている。各電線収容室５には電線Ｗ１がそれぞれ収容されている。分岐用電線収容室６には、分岐しない電線Ｗ１が上位置に、分岐する電線（以下、分岐線Ｗ２という。）が下方位置に縦配列で収容されている。分岐線Ｗ２の直径は、所定の直径である。
【００２５】
分岐用電線収容室６は、他の電線収容室５に対して最外周に位置している。分岐用電線収容室６の両側の側壁は、隣り合う電線収容室５との間を仕切る仕切壁４と、プロテクタ本体２の外周側壁３である。仕切壁４と外周側壁３には、垂直方向に延びるスライド溝７がそれぞれ設けられている。仕切壁４と外周側壁３の分岐用電線収容室６側の面には、ロック爪８がそれぞれ設けられている。仕切壁４と外周側壁３の分岐用電線収容室６側の面には、分岐用アダプタ１０が挿入完了位置以上に深く挿入するのを規制するストッパ壁８ａが設けられている。分岐用電線収容室６の底面６ａは、下方に向かって窪んでいる円弧面に形成されている。
【００２６】
プロテクタ本体２の外周側壁３には、適所にカバー用係止部９が設けられている。
【００２７】
分岐用アダプタ１０は、図３に詳しく示すように、電線押さえ壁１１と、電線押さえ壁１１の両方の側端より立設された一対の側壁１２と、この各側壁１２の外面より突設された一対のスライドレール部１３と、各スライドレール部１３の先端に設けられたつば部１４と、電線押さえ壁１１より延設された電線載置壁１５と、この電線載置壁１５の一方側端より立設された補助側壁１６と、この補助側壁１６に設けられたカバー用係止部１７とから構成されている。
【００２８】
電線押さえ壁１１の底面１１ａは、上方に向かって窪んでいる円弧面に形成されている。分岐用アダプタ１０の挿入完了位置では、図４及び図６に示すように、電線押さえ壁１１が分岐線Ｗ２を分岐用電線収容室６の底面６ａに押圧する。
【００２９】
一対の側壁１２の間隔寸法は、分岐用電線収容室６に隙間なく挿入される寸法に設定されている。
【００３０】
各側壁１２の上方には切り欠きが形成され、この切り欠きによる端面によって被係止部１８が設けられている。分岐用アダプタ１０のスライド挿入に際して、挿入完了位置まで挿入されると、図４に示すように、一対の被係止部１８にプロテクタ本体２の一対のロック爪８が係止される。つまり、プロテクタ本体２の一対のロック爪８と分岐用アダプタ１０の一対の被係止部１８によって、分岐用アダプタ１０が挿入完了位置まで挿入されるとロックするロック手段Ａが構成されている。
【００３１】
各スライドレール部１３は、各側壁１２の垂直方向に沿って設けられている。分岐用アダプタ１０は、一対のスライドレール部１３が一対のスライド溝７に案内されつつ挿入されることによってスライド挿入される。つまり、分岐用アダプタ１０の一対のスライドレール部１３とプロテクタ本体２の一対のスライド溝７によって、分岐用アダプタ１０をスライド挿入するスライド手段Ｂが構成されている。
【００３２】
各つば部１４は、スライドレール部１３の直交方向、つまり、側壁１２に平行に設けられている。つば部１４と側壁１２の間隔寸法は、分岐用アダプタ１０のスライド挿入に際して、図５に示すように、その間に外周側壁３及び仕切壁４が隙間なく挿入される寸法に設定されている。つまり、両側のつば部１４と側壁１２の組が外周側壁３及び仕切壁４をそれぞれ挟持し、つば部１４と側壁１２によって挟持部Ｃが構成されている。
【００３３】
電線載置壁１５は、分岐用電線収容室６に配置された電線Ｗ１を電線収容室５に配置された電線Ｗ１と同じ位置でガイドする高さに設定されている。分岐用電線収容室６の上位置の電線Ｗ１は、電線収容室５に配置された他の電線Ｗ１と同じ高さに配置され、共に同じ位置（同じ方向）より外部に引き出される。又、分岐線Ｗ２は、これら電線Ｗ１とは別に、プロテクタ本体２の下方向より外部に引き出される。
【００３４】
次に、ワイヤーハーネス用プロテクタ１の組み付け作業を説明する。図１にて仮想線で示すように、プロテクタ本体２の分岐用電線収容室６に分岐線Ｗ２を配置する。次に、分岐線Ｗ２の上から分岐用アダプタ１０をプロテクタ本体２の分岐用電線収容室６に挿入完了位置までスライド挿入する。分岐用アダプタ１０の挿入完了位置では、分岐用アダプタ１０の一対の被係止部１８にプロテクタ本体２の一対のロック爪８が係止される。これによって、分岐用アダプタ１０がプロテクタ本体２に装着される。
【００３５】
次に、プロテクタ本体２の各電線収容室５に電線Ｗ１をそれぞれ配置する。プロテクタ本体２の分岐用電線収容室６にも電線Ｗ１を配置する。分岐用電線収容室６に配置した電線Ｗ１は、分岐用アダプタ１０の上面に載置される。最後に、プロテクタ本体２の上面にカバー（図示せず）を被せ、カバー（図示せず）をプロテクタ本体２及び分岐用アダプタ１０のカバー用係止部９，１７を利用して組み付けすれば完了する。
【００３６】
以上説明したように、ワイヤーハーネス用プロテクタ１は、分岐用電線収容室６を有するプロテクタ本体２と、プロテクタ本体２にスライド手段Ｂによって挿入され、且つ、挿入完了位置まで挿入されるとロック手段Ａによってロックされ、挿入完了位置では電線押さえ壁１１が分岐線Ｗ２を分岐用電線収容室６の底面６ａに押圧する分岐用アダプタ１０とを備えている。従って、分岐用アダプタ１０をプロテクタ本体２にスライド挿入すれば、分岐用アダプタ１０がロックされ、分岐線Ｗ２が固定されるため、分岐用アダプタ１０をスライド挿入するという一操作で分岐線Ｗ２を固定できる。又、分岐用アダプタ１０は挿入完了位置でロックされることから常に一定の押圧力で分岐線Ｗ２を押圧する。以上より、分岐線Ｗ２の固定作業が容易で、しかも、分岐線を確実に固定できる。
【００３７】
スライド手段Ｂは、分岐用アダプタ１０に設けられた左右一対のスライドレール部１３と、分岐用電線収容室６の両側の外周側壁３及び仕切壁４に設けられ、一対のスライドレール部１３がスライド挿入される一対のスライド溝７とから構成されている。従って、分岐用アダプタ１０が左右一対のスライドレール部１３によってスライド挿入されるため、スライド挿入を確実に、且つ、スムーズに行うことができる。
【００３８】
分岐用アダプタ１０には、側壁１２とつば部１４が設けられ、これらで外周側壁３及び仕切壁４の各両面をそれぞれ挟持する。従って、分岐用アダプタ１０がプロテクタ本体２に強固に嵌合されると共に分岐用アダプタ１０の横ずれを防止できる。
【００３９】
分岐用電線収容室６は、分岐線Ｗ２と分岐しない電線Ｗ２の双方を収容するよう構成され、分岐用電線収容室６には、電線Ｗ１が上位置に、分岐する分岐線Ｗ２が下方位置に縦配列で収容され、電線Ｗ１が分岐用アダプタ１０の電線押さえ壁１１の上方に配置され、分岐用アダプタ１０には、電線Ｗ１が載る電線載置壁１５が設けられている。従って、分岐用電線収容室６に分岐線Ｗ２と電線Ｗ１が共に収容されるため、プロテクタ本体２をコンパクト化できる。又、電線Ｗ１が分岐用電線収容室６内で電線載置壁１５によってガイドされるため、分岐用電線収容室６内の電線Ｗ１を他の電線Ｗ１と同じ所定高さでガイドでき、同じ電線引出口から引き出す電線郡の取り扱いが容易である。
【００４０】
尚、この実施形態では、分岐用電線収容室６には分岐線Ｗ２と分岐しない電線Ｗ１の双方を収容できるよう構成したが、分岐線Ｗ２のみを収容できるようにしても良い。
【符号の説明】
【００４１】
１  ワイヤーハーネス用プロテクタ
２  プロテクタ本体
６  分岐用電線収容室
６ａ  底面
７スライド溝
１０  分岐用アダプタ
１１  電線押さえ壁
１２  側壁（挟持部）
１３  スライドレール部
１４  つば部（挟持部）
１５  電線載置壁
Ａ  ロック手段
Ｂ  スライド手段
Ｃ  挟持部
Ｗ１  電線
Ｗ２  分岐線
【図１】
0005422288.tif 000002
【図２】
0005422288.tif 000003
【図３】
0005422288.tif 000004
【図４】
0005422288.tif 000005
【図５】
0005422288.tif 000006
【図６】
0005422288.tif 000007
【図７】
0005422288.tif 000008